(57)【要約】【課題】補正用データを容易に生成することである。【解決手段】実施形態に係るＸ線ＣＴ装置は、取得部と、生成部とを備える。取得部は、同心円状の複数の層を有する円柱形状のファントムであって、前記複数の層それぞれに含まれる物質の組成及び前記物質の濃度のうち少なくとも一方が異なるファントムを、複数の回転角度それぞれでスキャンすることで、各回転角度における第１エネルギースペクトルを取得する。生成部は、前記第１エネルギースペクトルと、予め設定された条件において前記ファントムから得られる理論的なエネルギースペクトルである第２エネルギースペクトルとに基づいて、被検体から得られる第３エネルギースペクトルを補正するための補正用データを生成する。【選択図】図１
2019176988.tif 000002
【特許請求の範囲】
【請求項１】
同心円状の複数の層を有する円柱形状のファントムであって、前記複数の層それぞれに含まれる物質の組成及び前記物質の濃度のうち少なくとも一方が異なるファントムを、複数の回転角度それぞれでスキャンすることで、各回転角度における第１エネルギースペクトルを取得する取得部と、
前記第１エネルギースペクトルと、予め設定された条件において前記ファントムから得られる理論的なエネルギースペクトルである第２エネルギースペクトルとに基づいて、被検体から得られる第３エネルギースペクトルを補正するための補正用データを生成する生成部と
を備える、Ｘ線ＣＴ装置。
【請求項２】
前記取得部は、前記ファントムの中心軸とＸ線管の回転中心とが一致した状態で前記スキャンを行うことで、各検出素子において一定の透過長を有する前記第１エネルギースペクトルを取得する、
請求項１に記載のＸ線ＣＴ装置。
【請求項３】
前記第１エネルギースペクトルは、前記Ｘ線管の回転に伴う機械的なブレや振動の影響を含む、
請求項２に記載のＸ線ＣＴ装置。
【請求項４】
前記取得部は、Ｘ線管に供給される管電流を変化させた複数回のスキャンを行うことで、Ｘ線線量が異なる複数の前記第１エネルギースペクトルを取得し、
前記生成部は、前記Ｘ線線量が異なる複数の前記第１エネルギースペクトルに基づいて、単位時間当たりのＸ線線量が異なる複数の前記補正用データを生成する、
請求項１〜３のいずれか一つに記載のＸ線ＣＴ装置。
【請求項５】
前記ファントムの複数の層のうち、中心に近い層ほどＸ線の吸収量が小さい物質を含有し、中心から遠い層ほどＸ線の吸収量が大きい物質を含有する、
請求項１〜３のいずれか一つに記載のＸ線ＣＴ装置。
【請求項６】
管電流、前記物質の組成、前記物質の濃度、及び透過長のうち少なくとも一つに対応づけて、前記第２エネルギースペクトルを記憶する記憶部を更に備える、
請求項１〜５のいずれか一つに記載のＸ線ＣＴ装置。
【請求項７】
管電流、前記物質の組成、前記物質の濃度、及び透過長のうち少なくとも一つに応じた関数として、前記第２エネルギースペクトルを記憶する記憶部を更に備える、
請求項１〜５のいずれか一つに記載のＸ線ＣＴ装置。
【請求項８】
前記補正用データを用いて、前記被検体に対するスキャンにより収集された前記第３エネルギースペクトルを補正して再構成を行う再構成部を更に備える、
請求項１〜７のいずれか一つに記載のＸ線ＣＴ装置。
【請求項９】
前記ファントムは、前記複数の層のそれぞれに対応する複数のファントムを含む、
請求項１〜８のいずれか一つに記載のＸ線ＣＴ装置。
【請求項１０】
同心円状の複数の層を有する円柱形状のファントムであって、前記複数の層それぞれに含まれる物質の組成及び前記物質の濃度のうち少なくとも一方が異なるファントムを、複数の回転角度それぞれでスキャンすることで、各回転角度における第１エネルギースペクトルを取得し、
前記第１エネルギースペクトルと、予め設定された条件において前記ファントムから得られる理論的なエネルギースペクトルである第２エネルギースペクトルとに基づいて、被検体から得られるエネルギースペクトルを補正するための補正用データを生成する、
ことを含む、キャリブレーション方法。
【請求項１１】
円柱状に形成され、
同心円状の複数の層を有し、
前記複数の層それぞれに、組成及び濃度の少なくとも一方が異なる物質を有する、
ファントム。
【発明の詳細な説明】
【技術分野】
【０００１】
本発明の実施形態は、Ｘ線ＣＴ装置、キャリブレーション方法、及びファントムに関する。
【背景技術】
【０００２】
Ｘ線ＣＴ（Computed  Tomography）装置において、Ｘ線光子（フォトン）の数をカウントすることにより画像化を行うフォトンカウンティング（Photon  Counting）ＣＴと呼ばれる技術が知られている。フォトンカウンティングＣＴでは、フォトンカウンティング型（光子計数型）のＸ線検出器が用いられる。フォトンカウンティング型のＸ線検出器は、入射するＸ線光子の数を計数することにより、Ｘ線の強度を計測する。また、フォトンカウンティング型のＸ線検出器は、Ｘ線光子を電荷に変換する際に、Ｘ線光子がもつエネルギーに応じた電荷量が発生することを利用して、Ｘ線光子１つ１つのエネルギーを測定する。このため、フォトンカウンティングＣＴでは、エネルギーに応じた光子数の分布を示すエネルギースペクトルを得ることが可能である。
【０００３】
フォトンカウンティングＣＴでは、撮影領域に含まれる基本物質成分を弁別して再構成を行うことができる(物質弁別再構成)。物質弁別再構成は、エネルギースペクトルの減衰量が各々の物質で異なることを利用したものである。物質弁別再構成では、Ｘ線経路に存在する物質を特定するとともに、その物質の濃度や透過長を算出することができる。
【０００４】
フォトンカウンティングＣＴで得られる物質の濃度や透過長を較正（キャリブレーション）するために、補正用（較正用）データが予め生成される。この補正用データを生成するためには、物質の組成（化学組成）、濃度、透過長が既知である種々の条件下で投影データ（エネルギースペクトル）を収集する必要があるため、手間がかかる。また、光子計数型検出器では、検出器に入射するＸ線線量の違いに応じてエネルギースペクトルが変化する。この変化も考慮してキャリブレーションするには、Ｘ線線量の条件も変えて投影データを収集するする必要があるので、より手間がかかる。
【先行技術文献】
【特許文献】
【０００５】
【特許文献１】特開平６−９４６４８号公報
【特許文献２】特開２０００−２９８１０５号公報
【発明の概要】
【発明が解決しようとする課題】
【０００６】
本発明が解決しようとする課題は、補正用データを容易に生成することができるＸ線Ｃ
Ｔ装置、キャリブレーション方法、及びファントムを提供することである。
【課題を解決するための手段】
【０００７】
実施形態に係るＸ線ＣＴ装置は、取得部と、生成部とを備える。取得部は、同心円状の複数の層を有する円柱形状のファントムであって、前記複数の層それぞれに含まれる物質の組成及び前記物質の濃度のうち少なくとも一方が異なるファントムを、複数の回転角度それぞれでスキャンすることで、各回転角度における第１エネルギースペクトルを取得する。生成部は、前記第１エネルギースペクトルと、予め設定された条件において前記ファントムから得られる理論的なエネルギースペクトルである第２エネルギースペクトルとに基づいて、被検体から得られる第３エネルギースペクトルを補正するための補正用データを生成する。
【図面の簡単な説明】
【０００８】
【図１】図１は、第１の実施形態に係るＸ線ＣＴ装置の構成例を示すブロック図である。
【図２】図２は、第１の実施形態に係る円柱形状ファントム１００の構成例を説明するための図である。
【図３】図３は、第１の実施形態に係る円柱形状ファントム１００の内部構造の一例を説明するための図である。
【図４】図４は、第１の実施形態に係る円柱形状ファントム１００における回転角度と透過長との関係を説明するための図である。
【図５】図５は、第１の実施形態に係る円柱形状ファントム１００における透過長を説明するための図である。
【図６】図６は、第１の実施形態に係る円柱形状ファントム１００を用いた補正用データの生成処理を説明するための図である。
【図７】図７は、第１の実施形態に係るＸ線ＣＴ装置１による撮像処理を説明するための図である。
【図８】図８は、比較例を説明するための図である。
【図９】図９は、第２の実施形態に係る円柱形状ファントム２００の構成例を示す図である。
【発明を実施するための形態】
【０００９】
以下、図面を参照して、実施形態に係るＸ線ＣＴ（Computed  Tomography）装置、キャリブレーション方法、及びファントムを説明する。なお、以下に説明する実施形態はあくまで一例であり、実施形態にて説明する内容に限定されるものではない。また、一つの実施形態に記載した内容は、原則として他の実施形態にも同様に適用される。
【００１０】
以下の実施形態で説明するＸ線ＣＴ装置は、フォトンカウンティングＣＴを実行可能な装置である。すなわち、以下の実施形態で説明するＸ線ＣＴ装置は、フォトンカウンティング方式の検出器を用いて被検体を透過したＸ線を計数することで、Ｘ線ＣＴ画像データを再構成可能な装置である。なお、以下の実施形態に係るＸ線ＣＴ装置の構成は、フォトンカウンティングＣＴにおいて特に効果を奏するものであるが、従来の積分型（電流モード計測方式）の検出器やデュアルエナジーＣＴが行われる場合にも適用可能である。
【００１１】
（第１の実施形態）
図１は、第１の実施形態に係るＸ線ＣＴ装置の構成例を示すブロック図である。図１に示すように、第１の実施形態に係るＸ線ＣＴ装置１は、架台装置１０と、寝台装置３０と、コンソール装置４０とを有する。なお、図１では、図示の都合上、２箇所に架台装置１０が描出されているが、典型的には、１つのＸ線ＣＴ装置１に１つの架台装置１０が備えられる。
【００１２】
なお、本実施形態では、非チルト状態での回転フレーム１３の回転軸又は寝台装置３０の天板３３の長手方向をＺ軸方向と定義する。また、Ｚ軸方向に直交し、床面に対し水平である軸方向をＸ軸方向と定義する。また、Ｚ軸方向に直交し、床面に対し垂直である軸方向をＹ軸方向と定義する。
【００１３】
架台装置１０は、Ｘ線管１１と、Ｘ線検出器１２と、回転フレーム１３と、Ｘ線高電圧装置１４と、制御装置１５と、ウェッジ１６と、コリメータ１７と、ＤＡＳ（Data  Acquisition  System）１８とを有する。
【００１４】
Ｘ線管１１は、Ｘ線高電圧装置１３からの高電圧の印加により、陰極（フィラメント）から陽極（ターゲット）に向けて熱電子を照射することでＸ線を発生する真空管である。例えば、Ｘ線管１１には、回転する陽極に熱電子を照射することでＸ線を発生させる回転陽極型のＸ線管がある。
【００１５】
ウェッジ１６は、Ｘ線管１１から照射されたＸ線量を調節するためのフィルタである。具体的には、ウェッジ１６は、Ｘ線管１１から被検体Ｐへ照射されるＸ線が、予め定められた分布になるように、Ｘ線管１１から照射されたＸ線を透過して減衰するフィルタである。例えば、ウェッジ１６は、所定のターゲット角度や所定の厚みとなるようにアルミニウムを加工したフィルタである。ウェッジ１６は、ウェッジフィルタ（wedge  filter）、ボウタイフィルタ（bow-tie  filter）と呼ばれる場合もある。
【００１６】
コリメータ１７は、ウェッジ１６を透過したＸ線の照射範囲を絞り込むための鉛板等で
あり、複数の鉛板等の組み合わせによってスリットを形成する。なお、コリメータ１７は、Ｘ線絞りと呼ばれる場合もある。
【００１７】
Ｘ線検出器１２は、Ｘ線発生装置１１から照射され、被検体Ｐを通過したＸ線を検出し、当該Ｘ線量に対応した電気信号をＤＡＳ１８へと出力する。Ｘ線検出器１２は、例えば、Ｘ線管の焦点を中心として１つの円弧に沿ってチャネル方向に複数のＸ線検出素子が配列された複数のＸ線検出素子列を有する。Ｘ線検出器１２は、例えば、チャネル方向に複数のＸ線検出素子が配列されたＸ線検出素子列がスライス方向（列方向、ｒｏｗ方向）に複数配列された構造を有する。
【００１８】
また、Ｘ線検出器１２は、例えば、グリッドと、シンチレータアレイと、光センサアレイとを有する間接変換型の検出器である。シンチレークアレイは、複数のシンチレータを有し、シンチレータは入射Ｘ線量に応じた光子量の光を出力するシンチレータ結晶を有する。グリッドは、シンチレータアレイのＸ線入射側の面に配置され、散乱Ｘ線を吸収する機能を有するＸ線遮蔽板を有する。なお、グリッドはコリメータ（１次元コリメータ又は２次元コリメータ）と呼ばれる場合もある。光センサアレイは、シンチレータからの光量に応じた電気信号に変換する機能を有し、例えば、光電子増倍管（フォトマルチプライヤー：ＰＭＴ）等の光センサを有する。なお、Ｘ線検出器１２は、入射したＸ線を電気信号に変換する半導体素子を有する直接変換型の検出器であっても構わない。また、Ｘ線検出器１２は、Ｘ線検出部の一例である。
【００１９】
ここで、第１の実施形態に係るＸ線検出器１２は、フォトンカウンティングＣＴを実行可能な光子計数型検出器である。光子計数型検出器において、各Ｘ線検出素子は、Ｘ線光子が入射するごとに、１パルスの電気信号を出力する。フォトンカウンティングＣＴでは、Ｘ線検出素子が出力した個々のパルスを弁別することで、検出素子に入射したＸ線光子の数を計数することができる。また、フォトンカウンティングＣＴでは、パルスの強度に基づく演算処理を行うことで、計数したＸ線光子のエネルギー値を計測することができる。
【００２０】
Ｘ線高電圧装置１４は、変圧器（トランス）及び整流器等の電気回路を有し、Ｘ線管１１に印加する高電圧を発生する機能を有する高電圧発生装置と、Ｘ線管１１が照射するＸ線に応じた出力電圧の制御を行うＸ線制御装置とを有する。高電圧発生装置は、変圧器方式であってもよいし、インバータ方式であっても構わない。なお、Ｘ線高電圧装置１４は、後述する回転フレーム１３に設けられてもよいし、架台装置１０の固定フレーム（図示しない）側に設けられても構わない。なお、固定フレームは回転フレーム１３を回転可能に支持するフレームである。また、Ｘ線高電圧装置１４は、Ｘ線高電圧部の一例である。
【００２１】
ＤＡＳ１８は、Ｘ線検出器１２の各Ｘ線検出素子から出力される電気信号に対して増幅処理を行う増幅器と、電気信号をデジタル信号に変換するＡ／Ｄ変換器とを有し、検出データを生成する。ＤＡＳ１８が生成した検出データは、コンソール装置４０へと転送される。また、ＤＡＳ１８はデータ収集部の一例である。
【００２２】
また、フォトンカウンティングＣＴにおいて、ＤＡＳ１８は、Ｘ線検出器１２から出力される信号を用いて、各Ｘ線検出素子に入射したＸ線光子の数を計数する。例えば、ＤＡＳ１８は、各Ｘ線検出素子から出力される各パルスのピーク値と、システム固有の応答関数とからエネルギー値を演算する。或いは、ＤＡＳ１８は、パルスの強度を積分することで、エネルギー値を演算する。そして、ＤＡＳ１８は、演算したエネルギー値を、比較器（コンパレータ）を用いて複数のエネルギー弁別域（エネルギービン）に振り分ける。そして、ＤＡＳ１８は、各エネルギー弁別域に振り分けたパルスの数をＸ線光子の数として計数する。複数のエネルギー弁別域に振り分けられた計数値は、エネルギーに応じた光子数の分布を示すエネルギースペクトルとなる。つまり、ある管球位置（回転角度）においてＤＡＳ１８が生成する検出データは、各Ｘ線検出素子の位置に対応するエネルギースペクトルを含む面データである。ＤＡＳ１８は、回転フレーム１３の回転中にＸ線管１１からＸ線が連続曝射されている場合、全周囲分（３６０度分）の検出データを生成する。
【００２３】
回転フレーム１３は、Ｘ線管１１とＸ線検出器１２とを対向支持し、後述する制御装置１５によってＸ線管１１とＸ線検出器１２とを回転させる円環状のフレームである。なお、回転フレーム１３は、Ｘ線管１１とＸ線検出器１２に加えて、Ｘ線高電圧装置１４やＤＡＳ１８を更に備えて支持する。なお、ＤＡＳ１８が生成した検出データは、回転フレームに設けられた発光ダイオード（ＬＥＤ）を有する送信機から光通信によって架台装置の非回転部分（例えば固定フレーム。図１での図示は省略している。）に設けられた、フォトダイオードを有する受信機に送信され、コンソール装置４０へと転送される。なお、回転フレームから架台装置の非回転部分への検出データの送信方法は、前述の光通信に限らず、非接触型のデータ伝送であれば如何なる方式を採用しても構わない。また、回転フレーム１３は、回転部の一例である。
【００２４】
制御装置１５は、ＣＰＵ等を有する処理回路と、モータ及びアクチュエータ等の駆動機構とを有する。制御装置１５は、コンソール装置４０若しくは架台装置１０に取り付けられた、後述する入力インターフェース４３からの入力信号を受けて、架台装置１０及び寝台装置３０の動作制御を行う機能を有する。例えば、制御装置１５は、入力信号を受けて回転フレーム１３を回転させる制御や、架台装置１０をチルトさせる制御、及び寝台装置３０及び天板３３を動作させる制御を行う。なお、架台装置１０をチルトさせる制御は、架台装置１０に取り付けられた入力インターフェースによって入力される傾斜角度(チルト角度)情報により、制御装置１５がＸ軸方向に平行な軸を中心に回転フレーム１３を回転させることによって実現される。なお、制御装置１５は架台装置１０に設けられてもよいし、コンソール装置４０に設けられても構わない。また、制御装置１５は、制御部の一例である。
【００２５】
寝台装置３０は、スキャン対象の被検体Ｐを載置、移動させる装置であり、基台３１と、寝台駆動装置３２と、天板３３と、支持フレーム３４とを備える。基台３１は、支持フレーム３４を鉛直方向に移動可能に支持する筐体である。寝台駆動装置３２は、被検体Ｐが載置された天板３３を天板３３の長軸方向に移動するモータあるいはアクチュエータである。支持フレーム３４の上面に設けられた天板３３は、被検体Ｐが載置される板である。なお、寝台駆動装置３２は、天板３３に加え、支持フレーム３４を天板３３の長軸方向に移動させてもよい。
【００２６】
コンソール装置４０は、メモリ４１と、ディスプレイ４２と、入力インターフェース４３と、処理回路４４とを有する。なお、コンソール装置４０は架台装置１０とは別体として説明するが、架台装置１０にコンソール装置４０又はコンソール装置４０の各構成要素の一部が含まれてもよい。
【００２７】
メモリ４１は、例えば、ＲＡＭ（Random  Access  Memory）、フラッシュメモリ等の半導体メモリ素子、ハードディスク、光ディスク等により実現される。メモリ４１は、例えば、投影データや再構成画像データを記憶する。また、メモリ４１は、記憶部の一例である。
【００２８】
ディスプレイ４２は、各種の情報を表示する。例えば、ディスプレイ４２は、処理回路４４によって生成された医用画像（ＣＴ画像）や、操作者からの各種操作を受け付けるためのＧＵＩ（Graphical  User  Interface)等を出力する。例えば、ディスプレイ４２は、液晶ディスプレイやＣＲＴ（Cathode  Ray  Tube）ディスプレイである。また、ディスプレイ４２は、架台装置１０に設けられてもよい。また、ディスプレイ４２は、デスクトップ型でもよいし、コンソール装置４０本体と無線通信可能なタブレット端末等で構成されることにしても構わない。また、ディスプレイ４２は、表示部の一例である。
【００２９】
入力インターフェース４３は、操作者からの各種の入力操作を受け付け、受け付けた入力操作を電気信号に変換して処理回路４４に出力する。例えば、入力インターフェース４３は、投影データを収集する際の収集条件や、ＣＴ画像を再構成する際の再構成条件、ＣＴ画像から後処理画像を生成する際の画像処理条件等を操作者から受け付ける。例えば、入力インターフェース４３は、マウスやキーボード、トラックボール、スイッチ、ボタン。ジョイスティック等により実現される。また、入力インターフェース４３は、架台装置１０に設けられてもよい。また、入力インターフェース４３は、コンソール装置４０本体と無線通信可能なタブレット端末等で構成されることにしても構わない。また、入力インターフェース４３は、入力部の一例である。
【００３０】
処理回路４４は、Ｘ線ＣＴ装置１全体の動作を制御する。例えば、処理回路４４は、システム制御機能４４１、前処理機能４４２、再構成処理機能４４３、画像処理機能４４４、取得機能４４５、及び生成機能４４６を実行する。また、処理回路４４は、処理部の一例である。なお、取得機能４４５及び生成機能４４６については、後に詳述する。
【００３１】
システム制御機能４４１は、入力インターフェース４３を介して操作者から受け付けた入力操作に基づいて、処理回路４４の各種機能を制御する。例えば、システム制御機能４４１は、架台装置１０の動作を制御することで、架台装置１０におけるデータの収集処理を制御する。また、システム制御機能４４１は、操作者により指定された撮像条件でデータの収集処理が実行されるように、架台装置１０の動作を制御する。また、システム制御機能４４１は、制御部の一例である。
【００３２】
前処理機能４４２は、データ収集回路１４から出力された検出データに対して対数変換処理やオフセット補正処理、チャネル間の感度補正処理、ビームハードニング補正等の前処理を施したデータを生成する。なお、前処理前のデータ（検出データ）および前処理後のデータを総称して投影データと称する場合もある。また、前処理機能４４２は、前処理部の一例である。
【００３３】
再構成処理機能４４３は、前処理機能４４２にて生成された投影データに対して、フィルタ補正逆投影法や逐次近似再構成法等を用いた再構成処理を行ってＣＴ画像データを生成する。また、再構成処理機能４４３は、再構成部の一例である。
【００３４】
フォトンカウンティングＣＴで得られる検出データには、被検体Ｐを透過することで減弱されたＸ線のエネルギースペクトルの情報が含まれている。このため、再構成処理機能４４３は、例えば、各物質のエネルギー成分を画像化したＸ線ＣＴ画像データ（物質弁別画像データ）を再構成することができる（物質弁別再構成）。また、再構成処理機能４４３は、単色Ｘ線画像データや密度画像データ、実効原子番号画像データ等を再構成することもできる。
【００３５】
画像処理機能４４４は、入力インターフェース４３を介して操作者から受け付けた入力操作に基づいて、再構成処理機能４４３によって生成されたＣＴ画像データを公知の方法により、任意断面の断層像データや３次元画像データに変換する。なお、３次元画像データの生成は再構成処理機能４４３が直接なっても構わない。また、画像処理機能４４４は、画像処理部の一例である。
【００３６】
以上、第１の実施形態に係るＸ線ＣＴ装置１の全体構成について説明した。かかる構成のもと、第１の実施形態に係るＸ線ＣＴ装置１は、補正用（較正用）データを容易に生成するために、以下に説明する各処理機能を実行する。
【００３７】
すなわち、Ｘ線ＣＴ装置１において、取得機能４４５は、同心円状の複数の層を有する円柱形状のファントムであって、複数の層それぞれに含まれる物質の組成及び物質の濃度のうち少なくとも一方が異なるファントムを、複数の回転角度それぞれでスキャンすることで、各回転角度における第１エネルギースペクトルを取得する。そして、生成機能４４６は、第１エネルギースペクトルと、予め設定された条件においてファントムから得られる理論的なエネルギースペクトルである第２エネルギースペクトルとに基づいて、被検体から得られる第３エネルギースペクトルを補正するための補正用データを生成する。なお、取得機能４４５は、取得部の一例である。また、生成機能４４６は、生成部の一例である。
【００３８】
まず、図２を用いて、第１の実施形態に係る円柱形状ファントム１００の構成例について説明する。図２は、第１の実施形態に係る円柱形状ファントム１００の構成例を説明するための図である。図２には、円柱形状ファントム１００の外観の一例を示す。
【００３９】
図２に示すように、円柱形状ファントム１００は、円柱形状を有するファントムである。例えば、円柱形状ファントム１００は、円柱形状ファントム１００の中心軸Ｃが回転フレーム１３の回転中心軸に一致するように、天板３３に載置される。なお、円柱形状ファントム１００は、任意の治具や支持部材を用いて天板３３に載置可能である。
【００４０】
なお、以下の説明では、中心軸Ｃに対し平行な方向をｚ軸方向と定義する。また、ｚ軸方向に直行し、床面に対し水平である軸方向をｘ軸方向と定義する。また、ｚ軸方向に直交し、床面に対し垂直である軸方向をｙ軸方向と定義する。
【００４１】
図３を用いて、第１の実施形態に係る円柱形状ファントム１００の内部構造の一例について説明する。図３は、第１の実施形態に係る円柱形状ファントム１００の内部構造の一例を説明するための図である。図３の左図は、円柱形状ファントム１００のｘ−ｙ平面における断面図である。図３の右図は、円柱形状ファントム１００のｙ−ｚ平面における断面図である。
【００４２】
図３に示すように、円柱形状ファントム１００は、板部材１０１，１０２，１０３，１０４，１０５を有する。板部材１０３，１０４，１０５は、略同一の軸方向の長さを有し、互いに異なる半径を有する円筒形状の板部材である。板部材１０３，１０４，１０５は、各板部材１０３，１０４，１０５の中心軸が中心軸Ｃと一致するように、同心円状に配置される。板部材１０１，１０２は、板部材１０３の半径と略同一の半径を有する円形の板部材である。板部材１０１，１０２は、各板部材１０１，１０２の中心を中心軸Ｃが通るように、板部材１０３，１０４，１０５の軸方向における両端に配置される。
【００４３】
すなわち、円柱形状ファントム１００は、３つの層１００Ａ，１００Ｂ，１００Ｃにより形成される層構造を有する。具体的には、層１００Ａは、板部材１０３と板部材１０４との間に形成される円筒形状の空間に対応する。また、層１００Ｂは、板部材１０４と板部材１０５との間に形成される円筒形状の空間に対応する。また、層１００Ｃは、板部材１０５の内側に形成される円柱形状の空間に対応する。言い換えると、円柱形状ファントム１００の各層は、円柱形状又は円筒形状の容器として構成される。
【００４４】
また、３つの層１００Ａ，１００Ｂ，１００Ｃは、Ｘ線の吸収量が互いに異なる物質を含む。一例としては、３つの層１００Ａ，１００Ｂ，１００Ｃには、濃度が異なるヨウ素造影剤溶液が充填される。ヨウ素造影剤溶液は、水又は任意の溶媒にヨウ素造影剤が任意の濃度で溶解された液体である。
【００４５】
ここで、３つの層１００Ａ，１００Ｂ，１００Ｃのうち、中心に近い層ほどＸ線の吸収量が小さい物質を含有し、中心から遠い層ほどＸ線の吸収量が大きい物質を含有する。例えば、３つの異なる線吸収係数μ１，μ２，μ３（μ１＜μ２＜μ３）のヨウ素造影剤溶液が調整された場合には、線吸収係数μ１のヨウ素造影剤溶液（濃度が最も薄い溶液）が層１００Ｃに充填される。また、線吸収係数μ２のヨウ素造影剤溶液が層１００Ｂに充填される。また、線吸収係数μ３のヨウ素造影剤溶液が層１００Ａに充填される。なお、線吸収係数は、物質の濃度と比例関係にある。また、図３に図示した各層１００Ａ，１００Ｂ，１００Ｃのハッチングの濃淡は、各層に含まれる物質の線吸収係数（濃度）の大きさに対応する。
【００４６】
なお、図３にて説明した内容はあくまで一例であり、実施形態はこれに限定されるものではない。例えば、図３では、円柱形状ファントム１００が３層構造である場合を説明したが、層の数は任意に設定可能である。
【００４７】
また、図３では、各層１００Ａ，１００Ｂ，１００Ｃに含まれる物質の組成（化学組成）がヨウ素造影剤である場合を説明したが、これに限らず、疑似人骨として利用されるカルシウム化合物など、Ｘ線を吸収し得る任意の物質が適用可能である。
【００４８】
また、図３では、各層１００Ａ，１００Ｂ，１００Ｃに含まれる物質の組成が均一である場合を説明したが、これに限らず、複数種類の組成により構成されても良い。この場合、例えば、層１００Ａ及び層１００Ｂはヨウ素造影剤を含有し、層１００Ｃはカルシウム化合物を含有する。なお、この場合においても、複数の層のうち、中心に近い層ほどＸ線の吸収量が小さい物質を含有し、中心から遠い層ほどＸ線の吸収量が大きい物質を含有するのが好適である。なお、Ｘ線の吸収量とは、例えば、単位体積当たりの吸収量である。
【００４９】
また、板部材１０１，１０２，１０３，１０４，１０５は、例えばアクリル樹脂により形成されるが、これに限らず、Ｘ線ＣＴ装置１のファントムとして利用可能な任意の材料が適用可能である。ただし、適用される材料としては、Ｘ線の吸収量が少なく、透明性を有する材料が好適である。
【００５０】
図４を用いて、第１の実施形態に係る円柱形状ファントム１００における回転角度と透過長との関係について説明する。図４は、第１の実施形態に係る円柱形状ファントム１００における回転角度と透過長との関係を説明するための図である。図４には、Ｘ線管１１、Ｘ線検出器１２、及び円柱形状ファントム１００の位置関係を例示する。具体的に、図４の上段は、回転角度が０度である場合（Ｘ線管１１が回転フレーム１３の頂点に位置する場合）の位置関係を示し、図４の下段は、回転角度が９０度である場合の位置関係を示す。
【００５１】
図４に示すように、検出素子Ｄ１に入射するＸ線の経路Ｐ１は、回転フレーム１３の回転により経路Ｐ２に変化する。しかしながら、円柱形状ファントム１００は、中心軸Ｃが回転フレーム１３の中心に一致するように配置され、かつ、同心円状に積層された構造である。このため、回転フレーム１３の回転によりＸ線管１１及びＸ線検出器１２の位置が変化しても、Ｘ線管１１、Ｘ線検出器１２、及び円柱形状ファントム１００の見かけの位置関係は変化しない。この結果、経路Ｐ１における各層の透過長と、経路Ｐ２における各層の透過長は、変化しない。
【００５２】
図４では、図示の都合上、０度と９０度のみを例示して説明したが、いずれの回転角度であっても見かけの位置関係は変わらない。つまり、各検出素子に入射するＸ線の経路において、各層の透過長は、いずれの回転角度においても一定となる。このため、円柱形状ファントム１００を用いて収集した投影データには、回転フレーム１３の回転に伴う機械的なブレや振動の影響が含まれることとなる。
【００５３】
図５を用いて、第１の実施形態に係る円柱形状ファントム１００における透過長について説明する。図５は、第１の実施形態に係る円柱形状ファントム１００における透過長を説明するための図である。図５には、回転角度が０度である場合を例示する。
【００５４】
図５において、Ｘ線管１１から照射された非透過のＸ線強度（Ｘ線線量）をＩ０（Ｅ，ｍＡ）とすると、各検出素子に入射するＸ線強度Ｉ（Ｅ，θ，ｍＡ）は、下記の式（１）で表される。
【００５５】
【数１】
2019176988.tif 000003
【００５６】
式（１）において、Ｅは、Ｘ線のエネルギーを示す。また、ｍＡは、Ｘ線管１１の管電流を示す。θは、各検出素子に入射するＸ線の経路が鉛直方向に対してなす角を示す。μ１（Ｅ）は、層１００Ｃに含まれる物質のエネルギーＥにおける線吸収係数を示す。μ２（Ｅ）は、層１００Ｂに含まれる物質のエネルギーＥにおける線吸収係数を示す。μ３（Ｅ）は、層１００Ａに含まれる物質のエネルギーＥにおける線吸収係数を示す。Ｌ１は、層１００Ｃの透過長を示す。Ｌ２は、層１００Ｂの透過長を示す。Ｌ３は、層１００Ａの透過長を示す。なお、線吸収係数μ（Ｅ）はエネルギー依存性を有するが、「（Ｅ）」の記載は省略される場合もある。
【００５７】
ここで、透過長Ｌ１，Ｌ２，Ｌ３は、角度θに応じて以下のように表される。なお、以下において、ｄは、Ｘ線管１１の焦点Ｓと中心軸Ｃとの間の距離を示す。ｒ１は、層１００Ｃの半径を示す。ｒ２は、層１００Ｂの半径を示す。ｒ３は、層１００Ａの半径を示す。θ１は、下記の式（２）を満たす値である。θ２は、下記の式（３）を満たす値である。θ３は、下記の式（４）を満たす値である。
【００５８】
【数２】
2019176988.tif 000004
【数３】
2019176988.tif 000005
【数４】
2019176988.tif 000006
【００５９】
まず、θ＝０である場合、透過長Ｌ１，Ｌ２，Ｌ３は、下記の式（５）〜式（７）で表される。
【００６０】
【数５】
2019176988.tif 000007
【数６】
2019176988.tif 000008
【数７】
2019176988.tif 000009
【００６１】
次に、０＜θ＜θ１である場合、透過長Ｌ１，Ｌ２，Ｌ３は、下記の式（８）〜式（１０）で表される。なお、ａは、角度θの経路を示す直線に対して中心（中心軸Ｃ）から下ろした垂線の距離を示し、「ａ＝ｄ×ｓｉｎ（θ）」を満たす値である。
【００６２】
【数８】
2019176988.tif 000010
【数９】
2019176988.tif 000011
【数１０】
2019176988.tif 000012
【００６３】
また、θ１≦θ＜θ２である場合、透過長Ｌ２，Ｌ３は、下記の式（１１）及び式（１２）で表される。なお、この場合、透過長Ｌ１は０である。
【００６４】
【数１１】
2019176988.tif 000013
【数１２】
2019176988.tif 000014
【００６５】
また、θ２≦θ＜θ３である場合、透過長Ｌ３は、下記の式（１３）で表される。なお、この場合、透過長Ｌ１及びＬ２は０である。
【００６６】
【数１３】
2019176988.tif 000015
【００６７】
このように、円柱形状ファントム１００は、各検出素子における透過長を既知として扱うことができる。これにより、操作者は、一つの円柱形状ファントム１００から検出データを収集するだけで、物質の濃度、透過長、Ｘ線条件（Ｘ線線量）の検出データを収集することができる。
【００６８】
次に、図６を用いて、第１の実施形態に係る円柱形状ファントム１００を用いた補正用データの生成処理について説明する。図６は、第１の実施形態に係る円柱形状ファントム１００を用いた補正用データの生成処理を説明するための図である。図６に示す処理は、例えば、入力インターフェース４３が、補正用データの生成処理を開始する旨の指示を操作者から受け付けた場合に、開始される。
【００６９】
図６に示すように、ステップＳ１０１において、取得機能４４５は、円柱形状ファントム１００に対して、複数の回転角度でＸ線を投影する。例えば、取得機能４４５は、回転フレーム１３を回転させながら一定の管電流をＸ線管１１に供給することで、Ｘ線管１１からＸ線を連続照射させる。
【００７０】
ステップＳ１０２において、取得機能４４５は、回転角度ごとの第１エネルギースペクトルを取得する。例えば、取得機能４４５は、ＤＡＳ１８を制御することで、回転フレーム１３の回転中にＸ線検出器１２の各検出素子に入射したＸ線光子のエネルギースペクトルを、第１エネルギースペクトルとして取得する。この結果、取得機能４４５は、各検出素子について、全周囲分（３６０度分）の第１エネルギースペクトルを取得する。ここで、取得機能４４５は、円柱形状ファントム１００の中心軸ＣとＸ線管１１の回転中心とが一致した状態でスキャンを行うことで、各検出素子において一定の透過長を有する第１エネルギースペクトルを取得する。これにより、第１エネルギースペクトルは、Ｘ線管１１の回転に伴う機械的なブレや振動の影響を含むこととなる。
【００７１】
ステップＳ１０３において、生成機能４４６は、理論値である第２エネルギースペクトルをメモリ４１から読み出す。ここで、第２エネルギースペクトルは、予め設定された条件において円柱形状ファントム１００から得られる理論的なエネルギースペクトルである。第２エネルギースペクトルは、管電流、物質の組成、物質の濃度、及び透過長ごとに対応づけられて、メモリ４１に予め記憶されている。すなわち、メモリ４１は、Ｘ線管に供給される管電流、物質の組成、物質の濃度、及び物質の透過長のうち少なくとも一つに対応づけて、第２エネルギースペクトルを記憶する。
【００７２】
なお、第２エネルギースペクトルは、予め設定された条件に応じた値として記憶される場合に限らず、管電流、物質の濃度、及び透過長等に応じた関数として記憶されていてもよい。すなわち、メモリ４１は、Ｘ線管に供給される管電流、物質の組成、物質の濃度、及び物質の透過長のうち少なくとも一つに応じた関数として、第２エネルギースペクトルを記憶する。第２エネルギースペクトルが関数として記憶される場合、生成機能４４６は、予め設定された管電流、物質の濃度、及び透過長等に応じた値を都度算出することができる。
【００７３】
ステップＳ１０４において、生成機能４４６は、第１エネルギースペクトルと第２エネルギースペクトルとに基づいて、補正用データを生成する。例えば、生成機能４４６は、第１エネルギースペクトルと第２エネルギースペクトルとを比較する。そして、生成機能４４６は、第１エネルギースペクトルと第２エネルギースペクトルとの違いに基づいて、違いを解消するための値を補正用データとして算出する。
【００７４】
一例としては、生成機能４４６は、いずれの回転角度においても各検出素子における透過長が一定（既知）であることを利用して、全周囲分の第１エネルギースペクトルから各層において吸収されたＸ線の吸収量を算出する。そして、生成機能４４６は、算出した各層のＸ線の吸収量と、各層に含まれる物質により吸収される吸収量の理論値とを比較することで、補正用データを算出する。
【００７５】
なお、補正用データとしては、例えば、第１エネルギースペクトルと第２エネルギースペクトルとの差分値を用いても良いし、任意の計算方法により求めた値を用いてもよい。また、補正用データとしては、隣り合う回転角度における差分値との平均値を用いても良いし、２周以上のＸ線投影により取得した第１エネルギースペクトルの平均値を用いて算出してもよい。補正用データを算出する処理は、上述した方法に限らず、任意の方法により実行可能である。
【００７６】
ステップＳ１０５において、生成機能４４６は、生成した補正用データをメモリ４１に格納する。例えば、生成機能４４６は、各回転角度における各検出素子の補正用データを、管電流、物質の組成、物質の濃度、及び透過長ごとに対応づけてメモリ４１に格納する。なお、これに限らず、生成機能４４６は、任意の単位で補正用データを格納することもできる。
【００７７】
なお、図６では、単一の管電流でスキャンを行う場合を説明したが、これに限定されるものではない。例えば、Ｘ線管１１に供給される管電流を変化させて、図６の補正用データの生成処理を繰り返し実行してもよい。この場合、取得機能４４５は、Ｘ線管１１に供給される管電流を変化させた複数回のスキャンを行うことで、Ｘ線線量が異なる複数の第１エネルギースペクトルを取得する。そして、し、生成機能４４６は、Ｘ線線量が異なる複数の第１エネルギースペクトルに基づいて、単位時間当たりのＸ線線量が異なる複数の補正用データを生成する。
【００７８】
図７を用いて、第１の実施形態に係るＸ線ＣＴ装置１による撮像処理について説明する。図７は、第１の実施形態に係るＸ線ＣＴ装置１による撮像処理を説明するための図である。図７に示す処理は、例えば、入力インターフェース４３が、撮像処理を開始する旨の指示を操作者から受け付けた場合に、開始される。
【００７９】
図７に示すように、ステップＳ２０１において、システム制御機能４４１は、被検体に対して、複数の回転角度でＸ線を投影する。例えば、システム制御機能４４１は、回転フレーム１３の回転中にＸ線管１１からＸ線を連続照射する。
【００８０】
ステップＳ２０２において、システム制御機能４４１は、回転角度ごとの第３エネルギースペクトルを取得する。例えば、システム制御機能４４１は、ＤＡＳ１８を制御することで、回転フレーム１３の回転中にＸ線検出器１２の各検出素子に入射したＸ線光子のエネルギースペクトルを、第３エネルギースペクトルとして取得する。この結果、システム制御機能４４１は、各検出素子について、全周囲分（３６０度分）の第３エネルギースペクトルを取得する。第３エネルギースペクトルには、前処理機能４４２により適宜前処理が施される。
【００８１】
ステップＳ２０３において、再構成処理機能４４３は、補正用データをメモリ４１から読み出す。ここで、補正用データは、図６に係る生成処理により生成され、予めメモリ４１に格納されている。
【００８２】
ステップＳ２０４において、再構成処理機能４４３は、補正用データを用いて、第３エネルギースペクトルを補正する。例えば、再構成処理機能４４３は、第３エネルギースペクトルに含まれるエネルギー弁別域ごとの計数値を、補正用データに基づいて補正する。
【００８３】
ステップＳ２０５において、再構成処理機能４４３は、補正後の第３エネルギースペクトルに基づいて、物質弁別再構成を実行する。これにより、再構成処理機能４４３は、例えば、物質弁別画像データを生成する。
【００８４】
ステップＳ２０６において、処理回路４４は、画像データを表示させる。例えば、処理回路４４は、再構成処理機能４４３により生成された物質弁別画像データをディスプレイ４２に表示させる。
【００８５】
上述してきたように、第１の実施形態に係るＸ線ＣＴ装置１は、同心円状の複数の層を有する円柱形状のファントムであって、複数の層それぞれに含まれる物質の組成及び物質の濃度のうち少なくとも一方が異なるファントムを、複数の回転角度それぞれで撮像することで、各回転角度における第１エネルギースペクトルを取得する。そして、Ｘ線ＣＴ装置１は、第１エネルギースペクトルと、予め設定された条件においてファントムから得られる理論的なエネルギースペクトルである第２エネルギースペクトルとに基づいて、被検体から得られるエネルギースペクトルを補正するための補正用データを生成する。これによれば、Ｘ線ＣＴ装置１は、補正用データを容易に生成することができる。
【００８６】
図８を用いて、比較例について説明する。図８は、比較例を説明するための図である。図８に示すように、比較例として、同一の組成で濃度が異なる板状ファントム９０が利用される場合がある。この場合、通常のスキャンのように回転フレーム１３を回転させると各検出素子における透過長が変わってしまう。このため、板状ファントム９０が利用される場合には、回転フレーム１３を回転させずにエネルギースペクトルを収集することとなる。しかしながら、この場合、回転フレーム１３の回転に起因する影響をキャリブレーションできない。例えば、回転角度ごとに散乱線が異なることや、回転に伴って機械的なブレや振動が生じることが知られているが、板状ファントム９０ではこれらの影響を加味して補正することができない。
【００８７】
これに対して、本実施形態に係る円柱形状ファントム１００は、中心軸Ｃが回転フレーム１３の中心に一致するように配置され、かつ、同心円状に積層された構造である。これにより、円柱形状ファントム１００は、各検出素子に入射するＸ線の経路は、いずれの回転角度においても一定とすることができる。このため、円柱形状ファントム１００を用いて収集した投影データには、回転角度ごとの散乱線の影響や、回転フレーム１３の回転に伴う機械的なブレや振動の影響が含まれることとなる。
【００８８】
また、他の比較例として、濃度が均一な円柱形状のファントムが利用される場合がある。この場合、透過長が長くなるほどＸ線の吸収量（減衰量）が大きくなる。このため、Ｘ線検出器の中心付近にある検出素子と、Ｘ線検出器の外縁付近にある検出素子とでは、Ｘ線の吸収量に極端な違いが生じてしまう。このため、両者の検出素子で正確な検出を行うことは難しく、いずれかの検出素子では統計誤差が生じてしまう。また、異なる濃度で補正用データを生成するためには、濃度が異なるファントムを多数用いることとなり、都度、ファントムを交換しながら補正用データを生成する必要があるので、手間がかかる。
【００８９】
これに対して、本実施形態に係るＸ線ＣＴ装置１は、円柱形状ファントム１００を用いて補正用データを生成する。円柱形状ファントム１００は、濃度が異なる物質を含有する複数の層を有するので、一度のＸ線投影により複数の濃度及び透過長の補正用データを生成することができる。また、スキャンごとにＸ線管の管電流を変更することで、入射Ｘ線量が異なる補正用データを生成することができる。このため、Ｘ線ＣＴ装置１は、補正用データを短時間で容易に生成することができる。
【００９０】
また、円柱形状ファントム１００は、中心に近い層ほどＸ線の吸収量が小さい物質を含有し、中心から遠い層ほどＸ線の吸収量が大きい物質を含有する。このため、Ｘ線検出器１２の中心付近にある検出素子と、Ｘ線検出器１２の外縁付近にある検出素子との間におけるＸ線の吸収量の違いが低減されるため、両者の検出素子で生じる統計誤差を低減することができる。
【００９１】
（第２の実施形態）
第１の実施形態では、複数の層を有する円柱形状ファントム１００が一体として形成される場合を説明したが、実施形態はこれに限定されるものではない。例えば、円柱形状ファントムは、各層を交換可能な構成であってもよい。
【００９２】
図９を用いて、第２の実施形態に係る円柱形状ファントム２００の構成例について説明する。図９は、第２の実施形態に係る円柱形状ファントム２００の構成例を示す図である。
【００９３】
図９に示すように、円柱形状ファントム２００は、円柱ファントム２１０及び円筒ファントム２２０，２３０を有する。円柱ファントム２１０及び円筒ファントム２２０，２３０は、軸方向の長さが略同一である。
【００９４】
また、円柱ファントム２１０の外径の長さは、円筒ファントム２２０の内径の長さと略同一である。このため、円柱ファントム２１０は、円筒ファントム２２０の内側に収容可能である。
【００９５】
また、円筒ファントム２２０の外径の長さは、円筒ファントム２３０の内径の長さと略同一である。このため、円筒ファントム２２０は、円筒ファントム２３０の内側に収容可能である。
【００９６】
このように、円柱形状ファントム２００は、円柱ファントム２１０及び円筒ファントム２２０，２３０を組み合わせることで、３つの層からなる層構造を形成する。この結果、円柱形状ファントム２００は、複数の層のそれぞれに対応する複数のファントムを含む。
【００９７】
すなわち、円柱形状ファントム２００は、各層を構成するファントム（円柱ファントム２１０、円筒ファントム２２０，２３０）が互いに分離可能に構成される。このため、操作者は、各層を構成するファントムを適宜交換することで、任意の物質を各層に配置することができる。
【００９８】
例えば、Ｘ線の吸収量が互いに異なる物質を含有する複数の円柱ファントム２１０と、Ｘ線の吸収量が互いに異なる物質を含有する複数の円筒ファントム２２０と、Ｘ線の吸収量が互いに異なる物質を含有する複数の円筒ファントム２３０とが、予め用意される。これにより、操作者は、任意のファントムを組み合わせて利用することができる。
【００９９】
なお、図９にて説明した内容はあくまで一例であり、実施形態はこれに限定されるものではない。例えば、円柱形状ファントム２００は、３層構造に限らず、任意数の層からなる層構造を有していてもよい。なお、円柱形状ファントム２００は、各層を構成するファントムが分離可能である点を除き、円柱形状ファントム１００と同様の構成を備える。
【０１００】
（その他の実施形態）
上述した実施形態以外にも、種々の異なる形態にて実施されてもよい。
【０１０１】
（フォトンカウンティングＣＴ以外への適用）
例えば、上述した実施形態では、本実施形態に係る補正用データの生成方法がフォトンカウンティングＣＴに適用される場合を説明したが、これに限定されるものではない。例えば、本実施形態に係る補正用データの生成方法は、従来の積分型の検出器やデュアルエナジーＣＴが行われる場合にも適用可能である。なお、物質の組成、濃度、透過長等の種々の条件に応じた補正用データを容易に生成することができるという本願の効果を得るためには、本実施形態に係る補正用データの生成方法は、フォトンカウンティングＣＴ又はマルチエナジーＣＴに適用されるのが好適である。なお、マルチエナジーＣＴとは、複数種類（２種類以上）のエネルギーのデータ処理を行う撮像方法であり、Ｋｖスイッチング、デュアルソース、積層型検出器方式等、任意の撮像方式が適用可能である。
【０１０２】
（第３世代ＣＴ／第４世代ＣＴ）
Ｘ線ＣＴ装置１には、Ｘ線管１１とＸ線検出器１２とが一体として被検体の周囲を回転するＲｏｔａｔｅ／Ｒｏｔａｔｅ−Ｔｙｐｅ（第３世代ＣＴ）、リング状にアレイされた多数のＸ線検出素子が固定され、Ｘ線管のみが被検体の周囲を回転するＳｔａｔｉｏｎａｒｙ／Ｒｏｔａｔｅ−Ｔｙｐｅ（第４世代ＣＴ）等様々なタイプがあり、いずれのタイプでも本実施形態へ適用可能である。
【０１０３】
（マルチコンソール）
コンソール装置４０は、単一のコンソールにて複数の機能を実行するものとして説明したが、複数の機能を別々のコンソールが実行することにしても構わない。例えば、前処理機能４４２、再構成処理機能４４３等の処理回路４４の機能を分散して有しても構わない。
【０１０４】
（統合サーバ）
処理回路４４は、コンソール装置４０に含まれる場合に限らず、複数の医用画像診断装置にて取得された検出データに対する処理を一括して行う統合サーバに含まれてもよい。
【０１０５】
（後処理の処理主体）
実施形態中で説明した後処理は、コンソール４０又は外部のワークステーションのどちらで実施することにしても構わない。また、コンソール４０とワークステーションの両方で同時に処理することにしても構わない。
【０１０６】
（フルスキャン／ハーフスキャン）
ＣＴ画像を再構成するには被検体の周囲?周、３６０°分の投影データが、またハーフスキャン法でも１８０°＋ファン角度分の投影データが必要とされる。いずれの再構成方式に対しても本実施形態へ適用可能である。
【０１０７】
（一管球／多管球）
本実施形態においては、一管球型のＸ線ＣＴ装置１にも、Ｘ線管１１とＸ線検出器１２との複数のペアを回転リングに搭載した、いわゆる多管球型のＸ線ＣＴ装置１にも適用可能である。
【０１０８】
（Ｘ線撮像装置）
また、上記の実施形態は、Ｘ線ＣＴ装置に限らず、Ｘ線を用いた他の撮像装置に対しても適用可能である。例えば、上記の実施形態は、Ｘ線源及びＸ線検出器が回転して撮像を行う場合の撮像方式に対して有効である。
【０１０９】
（補正用データのクラウド保存）
上記の実施形態により生成された補正用データは、コンソール装置４０のメモリ４１に保存する場合に限らず、例えば、クラウド上に保存されてもよい。例えば、インターネット等の通信ネットワークを介してＸ線ＣＴ装置１と接続可能なクラウドサーバは、Ｘ線ＣＴ装置１からの保存要求を受けて補正用データの記憶を行う。
【０１１０】
（歯科用ＣＴへの適用）
上記の実施形態にて説明した円柱形状ファントム１００は、歯科用ＣＴにも適用可能である。つまり、歯科用ＣＴは、円柱形状ファントム１００を用いてキャリブレーション（補正用データの生成）を行うことができる。
【０１１１】
また、例えば、上記の実施形態においては、単一の処理回路にて各処理機能が実現されるものとして説明したが、複数の独立したプロセッサを組み合わせて処理回路を構成し、各プロセッサがプログラムを実行することにより機能を実現するものとしても構わない。
【０１１２】
上記説明において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは記憶回路１１０に保存されたプログラムを読み出し実行することで機能を実現する。なお、記憶回路１１０にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。更に、各図における複数の構成要素を１つのプロセッサへ統合してその機能を実現するようにしてもよい。
【０１１３】
また、例えば、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【０１１４】
また、上述した実施形態において説明した各処理のうち、自動的に行なわれるものとして説明した処理の全部又は一部を手動的に行なうこともでき、或いは、手動的に行なわれるものとして説明した処理の全部又は一部を公知の方法で自動的に行なうこともできる。この他、上記文書中や図面中で示した処理手順、制御手順、具体的名称、各種のデータやパラメータを含む情報については、特記する場合を除いて任意に変更することができる。
【０１１５】
また、上述した実施形態で説明した補正用データの生成方法は、予め用意された補正用データの生成プログラムをパーソナルコンピュータやワークステーション等のコンピュータで実行することによって実現することができる。この補正用データの生成方法は、インターネット等のネットワークを介して配布することができる。また、この補正用データの生成方法は、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１１６】
以上説明した少なくともひとつの実施形態によれば、補正用データを容易に生成することができる。
【０１１７】
本発明のいくつかの実施形態を説明したが、これらの実施形態は、一例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１８】
１      Ｘ線ＣＴ装置
１００      円柱形状ファントム
４４      処理回路
４４５      取得機能
４４６      生成機能
【図１】
2019176988.tif 000016
【図２】
2019176988.tif 000017
【図３】
2019176988.tif 000018
【図４】
2019176988.tif 000019
【図５】
2019176988.tif 000020
【図６】
2019176988.tif 000021
【図７】
2019176988.tif 000022
【図８】
2019176988.tif 000023
【図９】
2019176988.tif 000024